(57)【特許請求の範囲】
【請求項１】
同一事業者に属する複数の施設において使用された施設毎のエネルギーの使用量を取得する取得部と、
前記事業者におけるエネルギーの総使用量の上限を示す所定の数値目標を満たすという条件で、施設毎のエネルギーの使用量の上限を示す制限値を設定する設定部と、
前記取得部により取得された施設毎のエネルギー使用量が、前記設定部により設定された施設毎の制限値より大きいか否かを判定する判定部と、を備え、
前記判定部が、使用量が制限値よりも大きい施設と使用量が制限値より小さい施設とが共に存在すると判別した場合に、前記設定部は、使用量が制限値よりも大きいと判別された施設に設定された制限値を増加させた値に更新し、使用量が制限値より小さいと判別された施設に設定された制限値を減少させた値に更新する、
ことを特徴とするエネルギー使用量の制限値設定装置。
【請求項２】
前記取得部により取得されたエネルギー量の積算値を記憶する記憶部と、
前記取得されたエネルギーの使用量と前記記憶部に記憶されている過去のエネルギー使用量との差分値を施設毎に求め、求めた施設毎の差分値に基づいて、前記施設において今後の使用エネルギー量の予測値を施設毎に求める予測部とをさらに備え、
前記判定部は、前記予測部が求めた施設毎のエネルギー使用量の予測値が、前記設定部により設定された施設毎の制限値を超えるか否かを判定する、
ことを特徴とする請求項１に記載のエネルギー使用量の制限値設定装置。
【請求項３】
前記予測部は、前記制限値から前記エネルギー量の予測値を引いた差分の値を施設毎に求め、
前記設定部は、すべての差分の値が０以上となるよう施設毎の制限値を再設定する、
ことを特徴とする請求項２に記載のエネルギー使用量の制限値設定装置。
【請求項４】
前記予測部は、前記制限値から前記エネルギー量の予測値を引いた差分の値を施設毎に求め、求めた差分の値を合算し、
前記判定部は、前記合算した値が負となる否かを判定し、
前記判定部により合算した値が負となると判定された場合、前記設定部は、前記差分の値が負となる施設に対して、所定の通知を行う、
ことを特徴とする請求項２に記載のエネルギー使用量の制限値設定装置。
【請求項５】
前記取得部は、発電装置が発電した発電量の積算値を取得し、
前記設定部は、前記更新した制限値に、前記取得部により取得された発電量の積算値を加えた値を制限値として再設定する、
ことを特徴とする請求項１乃至４の何れか１項に記載のエネルギー使用量の制限値設定装置。
【請求項６】
同一事業者に属する複数の施設において使用された施設毎のエネルギーの使用量を取得する取得工程と、
前記事業者におけるエネルギーの総使用量の上限を示す所定の数値目標を満たすという条件で、施設毎のエネルギーの使用量の上限を示す制限値を設定する設定工程と、
前記取得工程により取得された施設毎のエネルギー使用量が、前記設定工程により設定された施設毎の制限値より大きいか否かを判定する判定工程と、を備え、
前記判定工程において、使用量が制限値よりも大きい施設と使用量が制限値より小さい施設とが共に存在すると判別した場合に、前記設定工程では、使用量が制限値よりも大きいと判別された施設に設定された制限値を増加させた値に更新し、使用量が制限値より小さいと判別された施設に設定された制限値を減少させた値に更新する、
ことを特徴とするエネルギー使用量の制限値設定方法。
【請求項７】
コンピュータを、
同一事業者に属する複数の施設において使用された施設毎のエネルギーの使用量を取得する取得部、
前記事業者におけるエネルギーの総使用量の上限を示す所定の数値目標を満たすという条件で、施設毎のエネルギーの使用量の上限を示す制限値を設定する設定部、
前記取得部により取得された施設毎のエネルギー使用量が、前記設定部により設定された施設毎の制限値より大きいか否かを判定する判定部、として機能させ、
前記判定部が、使用量が制限値よりも大きい施設と使用量が制限値より小さい施設とが共に存在すると判別した場合に、前記設定部は、使用量が制限値よりも大きいと判別された施設に設定された制限値を増加させた値に更新し、使用量が制限値より小さいと判別された施設に設定された制限値を減少させた値に更新する、
ことを特徴とするプログラム。
【発明の詳細な説明】
【技術分野】
【０００１】
本発明は、エネルギー使用量の制限値設定装置、エネルギー使用量の制限値設定方法、及び、プログラムに関する。
【背景技術】
【０００２】
エネルギーの使用の合理化に関する法律（以下、省エネ法という）は、エネルギーの消費量が大幅に増加している業務部門と家庭部門におけるエネルギーの使用の合理化をより一層推進することを目的に、平成２０年５月に改正され、平成２２年４月から完全施行された。省エネ法の改正により、エネルギーを管理する単位が、工場・事業場等の事業所単位から事業者単位（企業単位）に変わり、エネルギーを一定以上使用する事業者に対しては、省エネルギー化への取組みが不十分な場合、罰則が課せられる（非特許文献１参照）。このため、事業者は、当該事業者に属する工場や営業所によって使用されたエネルギーの量を集計して、総使用量が制限値を超えないように抑制する必要に迫られている。また、事業者には、より一層の省エネルギーか求められている。
事業者単位での省エネルギーに寄与しうる技術として、特許文献１には、同一事業者に属する各施設（工場、営業所等）でのエネルギー消費量を収集し、その総計を求め、適宜警告を発するシステムが開示されている。
【先行技術文献】
【特許文献】
【０００３】
【特許文献１】特開２００９−２３８１７８号公報
【非特許文献】
【０００４】
【非特許文献１】「改正  省エネ法の概要  ２０１０」、財団法人省エネルギーセンター、２００９年９月
【発明の概要】
【発明が解決しようとする課題】
【０００５】
省エネ法の趣旨を実現し、事業者全体として省エネルギーを実効化するためには、制限値（数値目標）を適切に設定し、その実現に向けて努力する必要がある。
しかし、事業所（施設）単位で数値目標を設定するのみでは、事業者全体でのエネルギー使用量の制限を達成できない虞がある。また、一方、事業者のエネルギーの総使用量に数値目標を設定する場合でも、個々の事業所への数値目標の設定は必要である。
一方、入念な分析により設定した数値目標が実際には実情からずれたものであることがある。また、事業環境は刻一刻と変化しており、一度設定した数値目標でも、環境の変化に応じて適切に修正・更新する必要がある。
しかしながら、従来、事業者全体としてのエネルギーの使用量の数値目標を達成しつつ、個々の事業所への数値目標を適切に設定する技術は知られていない。
同様の問題は、省エネ法で規定する制限値に限らず、事業者等が省エネルギーに関し、何らかの数値目標（努力目標、改善目標等）を設定する場合にも同様に存在する。
【０００６】
本発明は、上記事情に鑑みてなされたものであり、事業者全体でのエネルギーの使用量の数値目標を達成しつつ、施設単位の数値目標を適切に設定可能とし、ひいては省エネルギーに資することを目的とする。
【課題を解決するための手段】
【０００７】
上記目的を達成するため、本発明の第１の観点に係るエネルギー使用量の制限値設定装置は、
同一事業者に属する複数の施設において使用された施設毎のエネルギーの使用量を取得する取得部と、
前記事業者におけるエネルギーの総使用量の上限を示す所定の数値目標を満たすという条件で、施設毎のエネルギーの使用量の上限を示す制限値を設定する設定部と、
前記取得部により取得された施設毎のエネルギー使用量が、前記設定部により設定された施設毎の制限値より大きいか否かを判定する判定部と、を備え、
前記判定部が、使用量が制限値よりも大きい施設と使用量が制限値より小さい施設とが共に存在すると判別した場合に、前記設定部は、使用量が制限値よりも大きいと判別された施設に設定された制限値を増加させた値に更新し、使用量が制限値より小さいと判別された施設に設定された制限値を減少させた値に更新する、
ことを特徴とする。
【発明の効果】
【０００８】
本発明によれば、事業者全体のエネルギー使用量が目標値を達成するように、各施設の制限値を設定できる。しかも、エネルギー需要の実情に応じて、各施設の制限値を更新できる。
【図面の簡単な説明】
【０００９】
【図１】実施の形態１に係るエネルギー制限値設定装置を備えるシステムを示す図である。
【図２】（ａ）及び（ｂ）は、エネルギー量計測装置が計測したエネルギー量の積算値の例を示す図である。
【図３】エネルギー制限値設定装置の構成を示す図である。
【図４】記憶部に記憶される情報の例を示す図である。
【図５】制限値の設定処理を説明するためのフローチャートである。
【図６】エネルギー量の制限値の更新前後を示す図である。
【図７】実施の形態２に係るエネルギー制限値設定装置を備えるシステムを示す図である。
【図８】発電装置が計測した発電量の積算値の例を示す図である。
【図９】実施の形態２に係るエネルギー量の制限値の更新前後を示す図である。
【発明を実施するための形態】
【００１０】
この発明の実施の形態について、図面を参照して詳細に説明する。
【００１１】
なお、本明細書において事業者とは、典型的には、複数の施設を有し、当該複数の施設において使用されたエネルギー量について、省エネ法により制限が課されるものであるが、エネルギー量を自主的に集計管理するものも含まれる。また、使用エネルギー量の制限値とは、典型的には省エネ法における制限値を意味するが、事業者或いは施設の自主的な努力目標値でもよい。
また、施設とは、典型的には、本社ビル、工場、営業所、支店、テナントビルなどのエネルギーが使用される建物、場所、等をいう。
また、エネルギーとは、典型的には、省エネ法に規定されるように燃料並びに熱及び電気をいうが、典型的には電気である。また、その他のエネルギーを含めてもよい。
【００１２】
（実施の形態１）
まず、本発明の実施の形態１について説明する。
実施の形態１に係るエネルギー使用量の制限値設定装置（以下、エネルギー制限値設定装置という）１００を備えるシステム１は、図１に示すように、同一事業者が管理する複数のエネルギー量計測装置２００、複数の設備装置３００から構成される。本システム１では、エネルギー量計測装置２００は施設３０毎（施設３０Ａ、３０Ｂ）に設置され、エネルギー制限値設定装置１００と複数のエネルギー量計測装置２００とが、通信線１０を介して繋がれており、エネルギー量計測装置２００と複数の設備装置３００とが、電力線２０を介して繋がれている。なお、以下では、施設３０Ａ、３０Ｂの総称として施設３０という。
【００１３】
エネルギー量計測装置２００は、例えば、電力量計、ディジタルマルチメータから構成され、施設３０の配電盤などに配置され、施設３０内に設置された設備装置３００が使用した総エネルギー量を計測し、総エネルギー量を積算することにより、エネルギー量の積算値（エネルギーの使用量）を計測する。ここで、エネルギー量の積算値とは、例えば、１日、１ヶ月、１年等の任意の期間内に、施設３０が使用したエネルギー量を積算（累積）した値をいう。
また、エネルギー量計測装置２００は、ＲＴＣ（Real Time Clock）、記憶装置などを備え、エネルギー量の積算値を常時計測し、図２（ａ）及び（ｂ）に示すように、エネルギー量の積算値と計測日時とを対応させて記憶装置に記憶させる。また、エネルギー量計測装置２００は、記憶装置に記憶させた（履歴）情報に基づいて、時間とエネルギー量の積算値との関係を示すグラフを記憶することもできる。
【００１４】
図１に戻って、設備装置３００は、エネルギーを使用（消費）する任意の機器であり、例えば、空調機器、照明機器、換気機器などの電気機器から構成される。設備装置３００は、施設３０内に設置され、電力線２０から電力の供給を受けて、動作することによりエネルギーを使用する。このため、設備装置３００が動作することにより、エネルギー量の積算値が増加していく。
【００１５】
エネルギー制限値設定装置１００は、図３に示すように、記憶部１０１、取得部１０２、判定部１０３、設定部１０４、予測部１０５、入力部１０６から構成される。
【００１６】
記憶部１０１は、例えば、ＲＡＭ（Read Access Memory）やフラッシュメモリなどといった所定の記憶装置から構成され、取得部１０２などの構成部が実行する動作プログラム（アプリケーション）の他、各処理の実行に必要なデータや各処理の実行によって取得又は生成されたデータなどを記憶（格納）する。エネルギー制限値設定装置１００による処理は、記憶部１０１に記憶された動作プログラムを各構成が実行することで実現される。
【００１７】
また、記憶部１０１は、図４に示すように、施設３０を特定し（ここでは、施設３０Ａ）、複数の日にちについて、時間毎に分類された、エネルギー量の積算値、エネルギー量の制限値、エネルギー量の予測値、融通可能値等を記憶する。そして、記憶部１０１に記憶された値が、過去の値（過去のエネルギー量の積算値など）となる。
【００１８】
ここで、エネルギー量の制限値とは、ユーザがあらかじめ設定した、又は、設定部１０４が設定した、エネルギー量の積算値の上限値であり、省エネ法により事業者に定められたエネルギー量の制限値を、事業者に属する施設３０毎に割り振った量である。エネルギー量の制限値は、例えば、１日、１ヶ月、１年等の任意の期間内での量が設定される。
また、エネルギー量の予測値とは、施設３０によって使用されたエネルギー量の積算値に、施設３０が今後使用すると予測されるエネルギー量を加えた量である。
また、融通可能値とは、エネルギー量の制限値からエネルギー量の予測値（又はエネルギー量の積算値）を引いた量である。
【００１９】
なお、以下では説明を容易にするために、エネルギー量の積算値、エネルギー量の制限値、エネルギー量の予測値、融通可能値を、１時間間隔の値であり、１日間（０時〜２４時）におけるものとする。
【００２０】
図３に戻って、取得部１０２は、通信を行うためのインターフェースなどを備え、所定のプロトコルに沿って、エネルギー制限値設定装置１００とエネルギー量計測装置２００との間で行われる通信の仲立ちをすることによって、通信線１０を介して、エネルギー量計測装置２００が計測した各施設３０のエネルギー量の積算値を取得する。取得部１０２は、ＲＴＣなどを備え、例えば、所定の時間になると、エネルギー量計測装置２００が計測したエネルギー量の積算値を取得し、記憶部１０１に記憶させる。
【００２１】
判定部１０３は、例えば、ＣＰＵ（Central Processing Unit）などの演算処理回路やワークエリアとなるＲＡＭ、各種ドライバなどから構成され、各施設３０において、エネルギー量の積算値、又は、エネルギー量の予測値が、エネルギー量の制限値を超えたか否かを判定する。また、判定部１０３は、各施設３０における融通可能値を合算し、合算した融通可能値が正（プラス）であるか否かを判定する。
【００２２】
設定部１０４は、例えば、ＣＰＵなどの演算処理回路やワークエリアとなるＲＡＭ、各種ドライバなどから構成され、事業者におけるエネルギーの総使用量の上限を示す所定の数値目標を満たすという条件で、施設３０毎のエネルギーの使用量の上限を示す制限値を設定する。具体的には、設定部１０４は、施設３０毎に融通可能値を算出し、算出した融通可能値に基づいて、施設３０毎のエネルギー量の制限値を設定する。融通可能値が正である施設３０は、融通可能値だけエネルギー量の制限値に余剰があることを示している。そこで、エネルギー量の制限値から融通可能値だけ差し引いた値を、新たなエネルギー量の制限値と設定して、他の施設３０のエネルギー量の制限値に融通可能値だけ加えた値を、新たなエネルギー量の制限値と設定することにより、各施設３０間でエネルギー量の制限値を融通し合うことができる。エネルギー量の制限値を設定する方法については、後述する。
【００２３】
また、設定部１０４は、各施設３０のエネルギー量の制限値を設定（更新）するだけでなく、各施設３０（の管理者）に対して、使用するエネルギーを削減するよう、所定の通知を行うこともできる。
【００２４】
予測部１０５は、例えば、ＣＰＵなどの演算処理回路やワークエリアとなるＲＡＭ、各種ドライバなどから構成され、各施設３０によって使用されたエネルギー量の積算値が、今後どのように推移するかを予測することにより、エネルギー量の予測値を算出（予測）する。エネルギー量の予測値を算出する方法は、後述する。
【００２５】
入力部１０６は、ユーザからの指示を受け付けるための各種のキー、ボタン若しくはタッチパネル等を備え、各種の指示やデータを入力する。入力部１０５は、例えば、ユーザが入力した施設３０毎のエネルギー量の制限値を受け付けて、記憶部１０１に記憶させる。
【００２６】
次に、エネルギー制限値設定装置１００の動作について、図５を参照して説明する。
【００２７】
なお、ここでは、エネルギー制限値設定装置１００が備える記憶部１０１には、各施設３０におけるエネルギー量の制限値をあらかじめ記憶されているものとする（ステップＳ１０１）。あらかじめ記憶されたエネルギー量の制限値は、例えば、省エネ法により事業者に設定されたエネルギー量の制限値を施設３０の数で等分した値や、ユーザが任意に設定した値である。エネルギー量の制限値は、後述する処理が繰り返されることにより、エネルギー量の制限値が設定されて更新されていくこととなる。
【００２８】
所定の時間になると、また、ユーザからの処理開始操作を受け付けると、取得部１０２は、エネルギー量計測装置２００が計測した、施設３０毎のエネルギー量の積算値を取得する（ステップＳ１０２）。取得部１０２は、エネルギー量計測装置２００が計測したエネルギー量の積算値に加え、図２（ａ）及び（ｂ）に示すような、エネルギー量計測装置２００に記憶された過去のエネルギー量の積算値（エネルギー量の積算値の履歴）も取得し、記憶部１０１に記憶させる。
【００２９】
次に、予測部１０５は、上述のステップで取得されたエネルギー量の積算値に基づいて、エネルギー量の予測値を算出（予測）する（ステップＳ１０３）。予測部１０５は、記憶部１０１に記憶された、同時間における、エネルギー量の積算値と過去のエネルギー量の積算値（例えば、本日と前日のエネルギー量の積算値）との差分値、及び、過去１日間のエネルギー量の積算値から、エネルギー量の予測値を算出する。
【００３０】
ここで、図４を用いて、エネルギー量の予測値を算出する方法を説明する。まず、予測部１０４は、最新の計測値である本日の１２時のエネルギー量の積算値と、前日の同時間である前日の１２時のエネルギー量の積算値との差分値２０ｋＷｈ（＝８０ｋＷｈ−６０ｋＷｈ）を算出する。そして、予測部１０５は、算出した差分値２０ｋＷｈと、前日の１日間に使用されたエネルギー量の積算値に相当する、前日の２４時のエネルギー量の積算値１００ｋＷｈと、を足し合わせ、足し合わせた値１２０ｋＷｈ（＝１００ｋＷｈ＋２０ｋＷｈ）を、エネルギー量の予測値１２０ｋＷｈとして算出する。これは、本日と前日とにおけるエネルギー量の積算値の履歴（グラフ）は、ほぼ等しくなると予測（推測）されるため、予測部１０５は、各施設３０において、エネルギー量の積算値が取得された時間と前日の同時間とにおけるエネルギー量の積算値の差分値を算出し、前日の１日間で使用されたエネルギー量の積算値に差分値を加えることにより、エネルギー量の予測値を算出する。
【００３１】
次に、判定部１０３は、記憶部１０１に記憶された各施設３０において、エネルギー量の予測値がエネルギー量の制限値を超えているか否かを判定する（ステップＳ１０４）。
【００３２】
すべての施設３０において、エネルギー量の予測値がエネルギー量の制限値を超えていない場合（ステップＳ１０４；すべて未満）、エネルギー量の制限値を設定（更新）する必要がないものとして、ステップＳ１０２に戻る。
【００３３】
すべての施設３０において、エネルギー量の予測値がエネルギー量の制限値を超えている場合（ステップＳ１０４；すべて超過）、同一事業者に属する施設３０において使用されたエネルギー量が大きく、省エネ法により事業者に設定された制限値を超える（より大きくなる）おそれがあるため、設定部１０４は、すべての施設３０（の管理者）に対して、エネルギー量を削減するよう所定の通知を行い（ステップＳ１０５）、ステップＳ１０２に戻る。すべての施設３０に対してエネルギー量を削減するよう通知することにより、施設３０が属する事業者全体としてエネルギー量を削減することができる。そして、事業者全体としてエネルギー量を削減することにより、事業者全体におけるエネルギー量の積算値が、省エネ法によって事業者全体に課せられたエネルギー量の制限値を超えないように抑制することができる。
【００３４】
エネルギー量の予測値がエネルギー量の制限値を超えた施設と超えない施設との両方の施設がある場合（ステップＳ１０４；両方）、すなわち、判定部１０３が、エネルギー量の予測値が制限値よりも大きい施設とエネルギー量の予測値が制限値より小さい施設とが共に存在すると判別した場合に、設定部１０４は、各施設３０における融通可能値（＝エネルギー量の制限値−エネルギー量の予測値）を算出する（ステップＳ１０６）。ここで、図６に示すように、施設３０Ａにおいては、エネルギー量の制限値が１００ｋＷｈであり、エネルギー量の予測値が１２０ｋＷｈであるため、融通可能値は−２０ｋＷｈ（＝１００ｋＷｈ−１２０ｋＷｈ）となり、施設３０Ｂにおいては、エネルギー量の制限値が１３０ｋＷｈであり、エネルギー量の予測値が１００ｋＷｈであるため、融通可能値は３０ｋＷｈ（＝１３０ｋＷｈ−１００ｋＷｈ）となる。
【００３５】
次に、予測部１０５は、各施設３０における融通可能値を合算し、判定部１０３は、合算された融通可能値が負（マイナス）であるか否かを判定する（ステップＳ１０７）。図６においては、施設Ａにおける融通可能値が−２０ｋＷｈであり、施設Ｂにおける融通可能値が３０ｋＷｈであるため、合算の融通可能値は１０ｋＷｈ（＝−２０ｋＷｈ＋３０ｋＷｈ）となる。
【００３６】
合算の融通可能値が負である場合（ステップＳ１０７；Ｙｅｓ）、同一事業者に属する施設３０において使用されたエネルギー量が大きく、省エネ法により事業者に設定された制限値を超えるおそれがあるため、設定部１０４は、融通可能値が負であるすべての施設３０（の管理者）に対して、エネルギー量を削減するよう所定の通知を行い（ステップＳ１０８）、ステップＳ１０２に戻る。融通可能値が負である施設３０、すなわち、エネルギー量の使用量が大きい施設３０に対して、エネルギー量を削減するよう通知することにより、施設３０が属する事業者全体としてエネルギー量を削減することができる。そして、事業者全体としてエネルギー量を削減することにより、事業者全体におけるエネルギー量の積算値が、省エネ法によって事業者全体に課せられたエネルギー量の制限値を超えないように抑制することができる。
【００３７】
合算の融通可能値が負とならない場合（ステップＳ１０７；Ｎｏ）、設定部１０４は、融通可能値が正である施設３０に設定されたエネルギー量の制限値を所定の値だけ減少させた新たな制限値を設定（制限値を減少させた値に更新）し、融通可能値が負である施設３０に設定されたエネルギー量の制限値を所定の値だけ増加させた新たな制限値を設定（制限値を増加させた値に更新）し（ステップＳ１０９）、ステップＳ１０２に戻る。ここで、図６を用いて、制限値を設定する方法を説明する。施設３０Ａの融通可能値が−２０ｋＷｈであり、施設３０Ｂの融通可能値が３０ｋＷｈであるため、施設３０Ａは融通可能値が負である施設であり、施設３０Ｂは融通可能値が正である施設である。設定部１０４は、融通可能値が負である施設３０Ａに設定されたエネルギー量の制限値１００ｋＷｈに、施設３０Ｂの融通可能値２０ｋＷｈを加え、新たなエネルギー量の制限量１２０ｋＷｈ（＝１００ｋＷｈ＋２０ｋＷｈ）を設定する。また、設定部１０４は、施設３０Ｂのエネルギー量の制限値１２０ｋＷｈから、施設３０Ａに対して融通した２０ｋＷｈを差し引いて、新たなエネルギー量の制限値１００ｋＷｈ（＝１２０ｋＷｈ−２０ｋＷｈ）を設定する。設定部１０４は、すべての施設３０における融通可能値が０以上となるように、各施設３０に設定されたエネルギー量の制限値を更新（再設定）する。これにより、事業者に属する各施設３０において使用されるエネルギー量の積算値を制限値以下に抑えることができるため、事業者全体におけるエネルギー量の積算値が、省エネ法によって事業者全体に課せられたエネルギー量の制限値を超えないように抑制することができる。
【００３８】
以上の処理により、同一事業者に属する施設において使用されたエネルギー量に応じて、施設毎に制限値を設定できる。また、事業者に属する各施設において、エネルギー量の積算値を制限値以下に抑えることができる。また、使用されたエネルギー量が大きい施設に対して、エネルギー量を削減するよう通知することにより、施設が属する事業者全体としてエネルギー量を削減することができる。これにより、事業者全体のエネルギー量の積算値が、省エネ法によって事業者全体に課せられたエネルギー量の制限値を超えないように抑えることができる。
【００３９】
（実施の形態２）
次に、本発明の実施の形態２について説明する。実施の形態２では、各施設３０における融通可能値に加えて、発電装置が発電した発電量に基づいて、エネルギー量の制限値の設定を行う。実施の形態２に係るエネルギー制限値設定装置１００を備えるシステム２は、図７に示すように、同一事業者が管理する、複数のエネルギー量計測装置２００、複数の設備装置３００、発電装置４００から構成される。本システム２では、発電装置４００が設置され、発電装置４００とエネルギー制限値設定装置１００とが通信線１０を介して繋がれている。
【００４０】
発電装置４００は、自然エネルギーにより発電を行う任意の装置であり、例えば、太陽光のエネルギーを電力に変換する太陽光発電装置、風のエネルギーを電力に変換する風力発電装置、地熱のエネルギーを電力に変換する地熱発電装置から構成される。省エネ法に規定されるエネルギーは、燃料並びに熱及び電気であるが、風力・太陽光発電などによる自然エネルギーは対象外となっている。このため、発電装置４００が発電した発電量は規制の対象外であり、事業者全体におけるエネルギー量の積算値には含まれない。
【００４１】
また、発電装置４００は、電力量計、ＲＴＣ、記憶装置などを備え、自装置が発電した発電量の積算値を常時計測し、図８に示すように、日にち毎に、発電量の積算値と発電量の積算値を計測した日時とを対応させて記憶装置に記憶させる。ここで、発電量の積算値とは、例えば、１日、１ヶ月、１年等の任意の期間内に、発電装置４００が発電した発電量を積算（累積）した値をいう。
【００４２】
本実施の形態に係るエネルギー制限値設定装置１００が備える取得部１０２は、エネルギー量計測装置２００が計測したエネルギー量の積算値に加え、発電機器４００が発電した発電量の積算値を取得し、記憶部１０１に記憶させる。
【００４３】
設定部１０４は、各施設３０における融通可能値と発電機器４００が発電した発電量の積算値とに基づいて、施設３０毎のエネルギー量の制限値を設定する。エネルギー量の制限値を設定する方法については、後述する。
【００４４】
次に、本実施の形態に係るエネルギー制限値設定装置１００の動作について、図５を参照して説明する。実施の形態１と同様の処理については、説明を省略する。
【００４５】
ステップＳ１０７において、予測部１０５は、各施設３０における融通可能値と発電量の積算値とを合算し、判定部１０３は、合算した値が負であるか否かを判定する。発電量の積算値は、各施設３０におけるエネルギー量の積算値には該当せず、事業者全体に課されるエネルギー量の制限値を緩和できる値であるため、融通可能値に相当する値である。このため、判定部１０３は、融通可能値と発電量の積算値とを合算した値について判定を行う。図９においては、施設Ａにおける融通可能値が−２０ｋＷｈであり、施設Ｂにおける融通可能値が３０ｋＷｈであり、発電装置における融通可能値（発電量の積算値）は１００ｋＷｈであるため、合算の融通可能値は１１０ｋＷｈ（＝−２０ｋＷｈ＋３０ｋＷｈ＋１００ｋＷｈ）となる。
【００４６】
融通可能値と発電量の積算値とを合算した値が負となる場合（ステップＳ１０７；Ｙｅｓ）、同一事業者に属する施設３０において使用されたエネルギー量が大きく、省エネ法により事業者に設定された制限値を超えるおそれがあるため、設定部１０４は、融通可能値が負であるすべての施設３０（の管理者）に対して、エネルギー量を削減するよう所定の通知を行い（ステップＳ１０８）、ステップＳ１０２に戻る。融通可能値が負である施設３０、すなわち、エネルギー量の使用量が大きい施設３０に対して、エネルギー量を削減するよう通知することにより、実施の形態１と同様の効果を奏することができる。
【００４７】
融通可能値と発電量の積算値とを合算した値が負とならない場合（ステップＳ１０７；Ｎｏ）、設定部１０４は、融通可能値が正である施設３０に設定されたエネルギー量の制限値を所定の値だけ減少させた新たな制限値を設定し（ステップＳ１０９）、ステップＳ１０２に戻る。ここで、図９を用いて、制限値を設定する方法を説明する。施設３０Ａの融通可能値が−２０ｋＷｈであり、施設３０Ｂの融通可能値が３０ｋＷｈであるため、施設３０Ａは融通可能値が負である施設である。設定部１０４は、融通可能値が負である施設３０Ａに設定されたエネルギー量の制限値１００ｋＷｈに、発電装置４００の融通可能値２０ｋＷｈを加え、新たなエネルギー量の制限量１２０ｋＷｈ（＝１００ｋＷｈ＋２０ｋＷｈ）を設定する。設定部１０４は、発電装置４００の融通可能値を振り分けて、すべての施設３０における融通可能値が０以上となるように、各施設３０に設定されたエネルギー量の制限値を更新（再設定）する。これにより、事業者に属する各施設３０において使用されるエネルギー量の積算値を制限値以下に抑えることができるため、事業者全体におけるエネルギー量の積算値が、省エネ法によって事業者全体に課せられたエネルギー量の制限値を超えないように抑制することができる。
【００４８】
以上の処理により、同一事業者に属する施設において使用されたエネルギー量に応じて、施設毎に制限値を設定できる。また、発電量の積算値は融通可能値に相当するため、発電量の積算値を振り分けた値を、エネルギー量の制限値に加えることにより、エネルギー量の積算値がエネルギー量の制限値を超えないようにすることができる。
【００４９】
なお、本発明は上記の実施形態に限定されず、種々の変形及び応用が可能である。
【００５０】
システム１、２が備える、エネルギー量計測装置２００、設備装置３００、発電装置４００の台数は任意である。
【００５１】
システム１、２は、施設３０毎に設備装置３００の動作を制御するための設備装置制御装置を備えることもできる。設備装置制御装置は、エネルギー制限値設定装置１００が備える記憶部１０１に記憶された施設３０毎のエネルギー量の制限値を取得し、設備装置３００が使用するエネルギー量（の積算値）が制限値を超えないように、設備装置３００の動作を制御する。また、施設３０のエネルギー量の制限値が更新され、従前の制限値より更新された制限値が大きくなった場合、施設３０に設置された設備装置制御装置は、設備装置３００が使用するエネルギー量を抑えるように、設備装置３００の動作を制御する。これにより、各施設３０において、エネルギー量の積算値を制限値以下に抑えることができるため、事業者全体のエネルギー量の積算値を、省エネ法によって事業者全体に課せられたエネルギー量の制限値以下に抑えることができる。
【００５２】
また、設備装置制御装置は、各施設３０において、エネルギー量の予測値（又はエネルギー量の積算値）が制限値を超えた場合、制限値を超えた施設３０の制限値を設定（更新）するよう、エネルギー制限値設定装置１００に対して通知することもできる。そして、設備装置制御装置から通知を受けたエネルギー制限値設定装置１００は、エネルギー量の予測値が制限値を超えないような制限値を設定する。これにより、制限値を超えた施設３０がある場合であっても、制限値を早急に更新することができる。
【００５３】
エネルギー量の積算値、エネルギー量の制限値、エネルギー量の予測値、融通可能値は、１日を１つの単位（区切り）として説明したが、１時間、１週間、１ヶ月等、任意の時間単位で区切ることもできる。
【００５４】
判定部１０３は、エネルギー量の予測値がエネルギー量の制限値を超えているかを判定するだけでなく、エネルギー量の積算値がエネルギー量の制限値を超えているか否かを判定することもできる。
【００５５】
予測部１０５は、任意の方法により、エネルギー量の予測値を算出することができる。例えば、取得部１０２が、エネルギー量の積算値に加え、施設３０周辺の気温を取得し、気温を記憶部１０１に記憶させる。本日と前日とのエネルギー量の積算値の差分から求めた上述のエネルギー量の予測値を数Ａ、エネルギー量の積算値が取得された時間の気温と、記憶された前日の同時間の気温との気温差（本日の気温−前日の気温）を数Ｂとした場合、予測部１０５は、エネルギー量の予測値を、（数Ａ×０．０５）×数Ｂ＋数Ａ、として求めることもできる。
【００５６】
その他、前記のハードウエェア構成やフローチャートは一例であり、任意に変更および修正が可能である。
【００５７】
なお、上記実施の形態において、実行されるプログラムは、フレキシブルディスク、ＣＤ−ＲＯＭ（Compact Disc Read-Only Memory）、ＤＶＤ（Digital Versatile Disc）、ＭＯ（Magneto-Optical Disc）等のコンピュータ読み取り可能な記録媒体に格納して配布し、そのプログラムをインストールすることにより、上述のプログラムを実行するシステムを構成することとしてもよい。
【００５８】
また、プログラムをインターネット等の通信ネットワーク上の所定のサーバ装置が有するディスク装置等に格納しておき、例えば、搬送波に重畳させて、ダウンロード等するようにしてもよい。
【００５９】
また、上述の機能を、ＯＳ（Operating System）が分担して実現する場合又はＯＳとアプリケーションとの協働により実現する場合等には、ＯＳ以外の部分のみを媒体に格納して配布してもよく、また、ダウンロード等してもよい。
【００６０】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００６１】
１、２  システム
１０  通信線
２０  電力線
３０  施設
１００  エネルギー使用量の制限値設定装置
１０１  記憶部
１０２  取得部
１０３  判定部
１０４  設定部
１０５  予測部
１０６  入力部
２００  エネルギー量計測装置
３００  設備装置
４００  発電装置
【図１】
0005627554.tif 000002
【図２】
0005627554.tif 000003
【図３】
0005627554.tif 000004
【図４】
0005627554.tif 000005
【図５】
0005627554.tif 000006
【図６】
0005627554.tif 000007
【図７】
0005627554.tif 000008
【図８】
0005627554.tif 000009
【図９】
0005627554.tif 000010